(57)【特許請求の範囲】
【請求項１】
底面環と上面環とを複数の外壁支柱に固定することよって形成された円錐台形状の骨組に、前記底面環を底
面とする底面円錐台を形成するための前記底面円錐台の上面となる下部環と、前記上面環を上面とする上面円錐台を形成するための前記上面円錐台の下面となる
上部環とが、一定の間隔で対置するように前記外壁支柱に固定された枠体と、
少なくとも前記下部環と同心の位置関係で配置される、前記上部環より小さい口径の第１環が装着され、前記第１環を除いた部分の前記底面円錐台の全体を弛まないように覆うことによって下部篭を形成できるように製網された第１網と、
少なくとも前記上部環と同心の位置関係で配置される、前記第１環と略同一口径の第２環が装着され、前記第２環を除いた部分の前記上面円錐台の全体を弛まないように覆うことによって上部篭が形成できるように製網された第２網と、
からなり、
複数の連結材により前記第１環と前記第２環とを連結して前記第１環と前記第２環とを対置させた、前記底
面円錐台とその上面上に配置された円錐台とを含む前記下部篭と、前記上面円錐台とその底面上に形成された逆向きの円錐台とを含む前記上部篭とによって、
３６０度から海洋生物の侵入を許す幅を有する括れた円筒形状の落し口が構成されたことを特徴とする海洋生物捕獲篭。
【請求項２】
前記第１網は、矩形状に製網された一方の長辺の最外縁の網目に装着された前記第１環の外周から前記下部
環の位置まで前記外壁支柱に対応した垂直方向の切り込みが入れられた、前記第１環の外周から前記下部環の位置までの部分を弛まないように覆う上部網と、他
方の長辺の最外縁より内側の網目または前記他方の長辺に別途設けられた連通路に絞り紐を通し、前記絞り紐を絞ることによって、前記底面円錐台の底面に開閉
可能な取出口を形成できるように前記底面円錐台を弛まないように覆う下部網とを含むことを特徴とする請求項１に記載の海洋生物捕獲篭。
【請求項３】
前記第２網は、矩形状に製網された一方の長辺の最外縁の網目に装着された前記第２環の外周から前記上部
環の位置まで前記外壁支柱に対応した垂直方向の切り込みが入れられた、前記第２環の外周から前記上部環の位置までの部分を弛まないように覆う下部網と、他
方の長辺の最外縁より内側の網目または前記他方の長辺に別途設けられた連通路に絞り紐を通し、前記絞り紐を絞ることによって、前記上面円錐台を弛まないように覆う上部網とを含むことを特徴とする請求項１または２のいずれかに記載の海洋生物捕獲篭。
【請求項４】
前記下部篭および／または前記上部篭に取着可能な餌部を設けるようにしたことを特徴とする請求項１から３のいずれかに記載の海洋生物捕獲篭。
【請求項５】
前記第１環を除いた前記底面円錐台を覆う前記第１網を弛まないように前記底面環と前記第１網との接点を
適宜固定し、前記第２環を除いた前記上面円錐台を覆う前記第２網を弛まないように前記上面環と前記第２網との接点を適宜固定するようにしたことを特徴とする請求項１から４のいずれかに記載の海洋生物捕獲篭。
【請求項６】
同一口径の底面環と上面環とを複数の外壁支柱に固定することよって形成された円筒形状の骨組に、前記底
面環を底面とする底面円筒台を形成するための前記底面円筒台の上面となる下部環と、前記上面環を上面とする上面円筒台を形成するための前記上面円筒台の下
面となる上部環とが、一定の間隔で対置するように前記外壁支柱に固定された枠体と、
少なくとも前記下部環と同心の位置関係で配置される、前記上部環より小さい口径の第１環が装着され、前記第１環を除いた部分の前記底面円筒台を弛まないように覆うことによって下部篭を形成できるように製網された第１網と、
少なくとも前記上部環の同心の位置関係で配置される、前記第１環と略同一口径の第２環を装着し、前記第２環を除いた部分の前記上面円筒台を弛まないように覆うことによって上部篭が形成できるように製網された第２網と、
からなり、
複数の連結材により前記第１環と前記第２環とを連結して前記第１環と前記第２環とを対置させた、前記底
面円筒台とその上面上に配置された円錐台とを含む前記下部篭と、前記上面円筒台とその底面上に形成された逆向きの円錐台とを含む前記上部篭とによって、
３６０度から海洋生物の侵入を許す幅を有する括れた円筒形状の落し口が構成されたことを特徴とする海洋生物捕獲篭。
【請求項７】
前記第１網は、矩形状に製網された一方の長辺の最外縁の網目に装着された前記第１環の外周から前記下部
環の位置まで、前記外壁支柱に対応した垂直方向の切り込みが入れられた、前記第１環の外周から前記下部環の位置までの部分を弛まないように覆う上部網と、
他方の長辺の最外縁より内側の網目または前記他方の長辺に別途設けられた連通路に絞り紐を通し、前記絞り紐を絞ることによって、前記底面円筒台の底面に開
閉可能な取出口を形成できるように前記底面円筒台を弛まないように覆う下部網とを含むことを特徴とする請求項６に記載の海洋生物捕獲篭。
【請求項８】
前記第２網は、矩形状に製網された一方の長辺の最外縁の網目に装着された前記第２環の外周から前記上部
環の位置まで、前記外壁支柱に対応した垂直方向の切り込みが入れられた、前記第２環の外周から前記上部環の位置までの部分を緩まないように覆う下部網と、
他方の長辺の最外縁より内側の網目または前記他方の長辺に別途設けられた連通路に絞り紐を通し、前記絞り紐を絞ることによって前記上面円筒台を弛まないように覆う上部網とを含むことを特徴とする請求項６または７のいずれかに記載の海洋生物捕獲篭。
【請求項９】
前記上部篭および／または前記下部篭に取着可能な餌部を設けるようにしたことを特徴とする請求項６から８のいずれかに記載の海洋生物捕獲篭。
【請求項１０】
前記第１環の内部を除いた前記底面円筒台を覆う前記第１網を弛まないように前記底面環と前記第１網との
接点を適宜固定し、第２環の内部を除いた前記上面円筒台を覆う前記第２網を弛まないように前記上面環と前記第２網との接点を適宜固定するようにしたことを
特徴とする請求項６から９のいずれかに記載の海洋生物捕獲篭。
【請求項１１】
複数の外壁支柱と、口径が最大Ｌ１から最小Ｌ４へと小さくなる底面環、下部環、上部環、上面環を準備するステップと、
前記底面環と、該底面環を底面とする底面円錐台を形成するための前記底面円錐台の上面となる前記下部環と、前記上面環と、該上面環を上面とする上面円錐台を形成するための前記上面円錐台の下面となる前記上部環とからなる４つの環を前記複数の外壁支柱に固定することによって、円錐台形状の枠体が形成されるステップと、
前記上部環より小さい略同一口径の第１環と第２環とを準備するステップと、
前記底面円錐台を覆うことができるように製網された第１網を用いて、少なくとも前記下部環の同心の位置関係で配置される前記第１環が装着され、前記第１環の外周から前記下部環までの部分で構成される円錐台を含む前記底面円錐台を弛まないように覆うことによって、下部篭が形成されるステップと、
前記上面円錐台を覆うことができるように製網された第２網を用いて、少なくとも前記上部環の同心の位置関係で配置される前記第２環が装着され、前記第２環の外周から前記上部環までの部分で構成される逆向きの円錐台を含む前記上面円錐台を弛まないように覆うことによって、前記第２環が前記下部篭の前記第１環と対置するように、上部篭が形成されるステップと、
複数の連結材により前記第１環と前記第２環とを連結して前記第１環と前記第２環とを対置させた、前記底面円錐台とその上面上に配置された前記円錐台とを含む前記下部篭と、前記上面円錐台とその底面上に形成された前記逆向きの円錐台とを含む前記上部篭とによって、３６０度から海洋生物の侵入を許す幅を有する括れた円筒形状の落し口が構成されるステップと、
を含むことを特徴とする海洋生物捕獲篭の製造方法。
【請求項１２】
前記第１網は、矩形状に製網された一方の長辺の最外縁の網目に装着された前記第１環の外周から前記下部環の位置まで、前記外壁支柱に対応した垂直方向の切り込みが入れられた、前記第１環の外周から前記下部環の位置までの部分を弛まないように覆う上部網と、他方の長辺の最外縁の内側の網目または前記他方の長辺に別途設けられた連通路に絞り紐を通し、前記絞り紐を絞ることによって、前記円錐台の底面に開閉可能な取出口を形成できるように前記底面円錐台を弛まないように覆う下部網とを含み、
前記第１環の外周から前記下部環の位置までの部分を弛まないように覆う前記上部網によって前記下部篭の前記円錐台が形成されたときに前記外壁支柱に対応した入れられた垂直方向の前記切り込みを綴じるステップをさらに含むことを特徴とする請求項１１に記載の海洋生物捕獲篭の製造方法。
【請求項１３】
前記第２網は、矩形状に製網された一方の長辺の最外縁の網目に装着された前記第２環の外周から前記上部環の位置まで、前記外壁支柱に対応した垂直方向の切り込みが入れられた、前記第２環の外周から前記上部環の位置までの部分を弛まないように覆う下部網と、他方の長辺の最外縁より内側の網目または前記他方の長辺に別途設けられた連通路に絞り紐を通し、前記絞り紐を絞ることによって、前記上面円錐台を弛まないように覆う上部網とを含み、
前記第２環の外周から前記上部環の位置までの部分を弛まないように覆う前記下部網によって前記上部篭の前記逆向きの円錐台が形成されたときに前記外壁支柱に対応した入れられた垂直方向の前記切り込みを綴じるステップをさらに含むことを特徴とする請求項１１または１２のいずれかに記載の海洋生物捕獲篭の製造方法。
【請求項１４】
前記下部篭および／または前記上部篭に取着可能な餌部を設けるステップをさらに含むことを特徴とする請求項１１から１３のいずれかに記載の海洋生物捕獲篭の製造方法。
【請求項１５】
前記第１環の内部を除いた前記底面円錐台を覆う前記第１網を弛まないように前記底面環と前記第１網との接点を適宜固定し、かつ、第２環の内部を除いた前記上面円錐台を覆う前記第２網を弛まないように前記上面環と前記第２網との接点を適宜固定するステップをさらに含むことを特徴とする請求項１１から１４のいずれかに記載の海洋生物捕獲篭の製造方法。
【発明の詳細な説明】
【技術分野】
【０００１】
本発明は、エビ類等の海洋生物の捕獲に用いる篭に関する。より具体的には漁撈効率を一段と高めるための、３６０度から海洋生物の侵入を許す幅を有する括れた円筒形状の落し口を設けた海洋生物捕獲篭に関する。
【背景技術】
【０００２】
エビ、カニ等の海洋生物を捕獲するために、捕獲篭による浅海漁業は日本各地で盛んに行われている。「日本漁具・漁法図説（増補改訂版）」（非特許文献１）によると、それらに用いられる捕獲篭は、半円球状、椀状または円錐台形に形成した枠体に弛まないように網が張られた一つの網篭である。それらは、例えば図７に示されるように、側面または円周側部の２か所に向かい合わせの侵入通路が形成された海洋生物の落し口を有する捕獲篭、あるいは、図８に示されるように、頂部または上面中央部に海洋生物の落し口を有する捕獲篭などが一般的である。
【０００３】
非特許文献１によると、海洋生物捕獲篭は、図７に示されるように、落し口が侵入しやすく逃げ出しにくい形状に仕上げてあることが好ましい。また図８に示されるように、落し口は、捕獲された海洋生物が回収される前に篭外に逃げ出されない構造、例えば漏斗型侵入通路を形成するように、工夫されていることがより好ましい。ところで、一度篭内に進入した海洋生物が篭外へ逃げることを防ぐ機構については、特許文献１にみるように、これまでの種々の提案がなされている。
【０００４】
ちなみに、図７に示された捕獲篭は、北海道地域で多用されているホッコクアカエビ、ボタンエビなどの海洋生物捕獲篭である。また図８に示される捕獲篭は、日本海の羽幌沖の水深３００ｍの武蔵堆でのエビ篭船で使用されている海洋生物捕獲篭である。
【０００５】
【特許文献１】特開平２００６−２５６２４号公報
【非特許文献１】金田禎之著  「日本漁具・漁法図説（増補改訂版）」５７９頁〜５８５頁  株式会社成山堂書店  １９８９年
【発明の概要】
【発明が解決しようとする課題】
【０００６】
これまでのエビ、カニなどの海洋生物を捕獲するための篭は、１つの枠体に弛まないように網で張られた１つの篭からなる。例えば捕獲されたエビは、篭内に取り付けた餌を求めて侵入してきたエビであり、篭内の底または内壁の網に止まることになる。侵入口となる落し口は、通常、一度侵入したエビが篭外に逃げることがないように工夫が施されている。当然落し口の数は制限されており、一般的には、側面または円周側面に２か所、又は、頂部または上面に１か所程度である。落し口の数を増やすことはできるが、篭の作製過程が複雑になり、また捕獲篭として使用する際に、捕獲されたエビが逃げ出すことも容易になり、正味の捕獲量を増大させる適切な方法であるとは言い難い。
【０００７】
また互いにテリトリーを持つエビなどの海洋生物が捕獲篭に捕獲された場合、それらが一か所に集る数も限られる。結果として、落し口の数を１〜２か所に制限された、かつ一度侵入したエビなどの海洋生物が篭外に逃げることがないように工夫が施されているが、それらの捕獲篭を用いた場合、捕獲されるエビなどの海洋生物が篭内に進入する機会が少なく、捕獲量にも自ずと限界があった。
【０００８】
また、上面に落し口を設けた捕獲篭の場合、エビなどの海洋生物の侵入は容易になる一方で、餌を求めて篭内に進入したエビなどの海洋生物を捕食しようとする例えばタコなどの海洋生物の侵入を許すことになり、やはり正味の捕獲量を減少させる一因になりやすい。
【課題を解決するための手段】
【０００９】
本発明は、エビなどの海洋生物の捕獲量を劇的に改善させた海洋生物捕獲篭を提供する。より具体的には、エビなどの海洋生物の捕獲篭内への進入を容易にするように、３６０度からエビなどの海洋生物の侵入を許す幅を有する括れた円筒形状の落し口を有しており、かつ、捕獲篭内のエビなどの海洋生物が逃げ出すことを防止する構造を有し、加えて、互いにテリトリーを持つエビなどの海洋生物が捕獲篭内において互いに捕食し合うことがないように、対置する２つの空間部を有する構造の海洋生物捕獲篭を提供するものである。
【００１０】
本発明の実施態様は、以下の通りである。
本発明の第１の態様は、図１に示される海洋生物捕獲篭１である。具体的には、この海洋生物捕獲篭１は、底面環２と上面環３とを複数の外壁支柱４に固定することよって形成された円錐台形状の骨組に、底面環２を底面とする底面円錐台７を形成するための底面円錐台７の上面となる下部環５と、上面環３を上面とする上面円錐台８を形成するための上面円錐台８の下面となる上部環６とが、一定の間隔で対置するように外壁支柱４に固定された枠体９を有する。
【００１１】
海洋生物捕獲篭１はさらに、少なくとも下部環５と同心の位置関係で配置される、上部環６より小さい口径の第１環１０が装着され、第１環１０を除いた部分の底面円錐台７の全体を弛まないように覆うことによって下部篭１２を形成できるように製網された第１網１１と、少なくとも上部環６と同心の位置関係で配置される、第１環１０と略同一口径の第２環１３が装着され、第２環１３を除いた部分の上面円錐台８の全体を弛まないように覆うことによって上部篭１５が形成できるように製網された第２網１４とを含む。
【００１２】
枠体９と第１網１１と第２網１４とからなる海洋生物捕獲篭１は、複数の連結材１６により第１環１０と第２環１３とを連結して第１環１０と第２環１３とを対置させた、底面円錐台７とその上面上に配置された円錐台１７とを含む下部篭１２と、上面円錐台８とその底面上に形成された逆向きの円錐台１８とを含む上部篭１５とによって形成された、３６０度から海洋生物の侵入を許す幅を有する括れた円筒形状の落し口１９を含む。
【００１３】
第１実施態様において、第１網１１は、矩形状に製網された一方の長辺の最外縁の網目に装着された第１環１０の外周から下部環５の位置まで外壁支柱４に対応した垂直方向の切り込み２０が入れられた、第１環１０の外周から下部環５の位置までの部分を弛まないように覆う上部網１１’と、他方の長辺の最外縁より内側の網目または他方の長辺に別途設けられた連通路２１に絞り紐２２を通し、絞り紐２２を絞ることによって、底面円錐台７の底面に開閉可能な取出口２３を形成できるように底面円錐台７を弛まないように覆う下部網１１”とを含むことができる。
【００１４】
第１実施態様において、第２網１４は、矩形状に製網された一方の長辺の最外縁の網目に装着された第２環１３の外周から上部環６の位置まで、外壁支柱４に対応した垂直方向の切り込み２４が入れられた、第２環１３の外周から上部環６の位置までの部分を弛まないように覆う下部網１４’と、他方の長辺の最外縁より内側の網目または別途設けられた連通路２５に絞り紐２６を通し、絞り紐２６を絞ることによって、上面円錐台８を弛まないように覆う上部網１４”とを含むことができる。
【００１５】
第１実施態様において、下部篭１２および／または上部篭１５に取着可能な餌部２７を設けることができる。また第１環１０を除いた底面円錐台７を覆う第１網１１を弛まないように底面環２と第１網１１との接点２８を適宜固定し、第２環１３を除いた上面円錐台８を覆う第２網１４を弛まないように上面環３と第２網１４との接点２９を適宜固定するようにしてもよい。
【００１６】
本発明の第２の態様は、図６に示される海洋生物捕獲篭１０１である。具体的には、同一口径の底面環１０２と上面環１０３とを複数の外壁支柱１０４に固定することよって形成された円筒形状の骨組に、底面環１０２を底面とする底面円筒台１０７を形成するための底面円筒台１０７の上面となる下部環１０５と、上面環１０３を上面とする上面円筒台１０８を形成するための上面円筒台１０８の下面となる上部環１０６とが、一定の間隔で対置するように外壁支柱１０４に固定された枠体１０９を有する。
【００１７】
海洋生物捕獲篭１０１はさらに、少なくとも下部環１０５と同心の位置関係で配置される、下部環１０５より小さい口径の第１環１１０が装着され、第１環１１０を除いた部分の底面円筒台１０７の全体を弛まないように覆うことによって下部篭１１２を形成できるように製網された第１網１１１と、少なくとも上部環１０６と同心の位置関係で配置される、第１環１１０と略同一口径の第２環１１３が装着され、第２環１１３を除いた部分の前記上面円筒台１０８の全体を弛まないように覆うことによって上部篭１１５が形成できるように製網された第２網１１４とを含む。
【００１８】
枠体１０９と第１網１１１と第２網１１４とからなる海洋生物捕獲篭１０１は、複数の連結材１１６により第１環１１０と第２環１１３とを連結して第１環１１０と第２環１１３とを対置させた、底面円筒台１０７とその上面上に配置された円錐台１１７とを含む下部篭１１２と、上面円筒台１０８とその底面上に形成された逆向きの円錐台１１８とを含む上部篭１１５とによって形成された、３６０度から海洋生物の侵入を許す幅を有する括れた円筒形状の落し口１１９を含む。
【００１９】
第２実施態様において、第１網１１１は、矩形状に製網された一方の長辺の最外縁の網目に装着された第１環１１０の外周から下部環１０５の位置まで、外壁支柱１０４に対応した垂直方向の切り込み１２０が入れられた、第１環１１０の外周から下部環１０５の位置までの部分を弛まないように覆う上部網１１１’と、他方の長辺の最外縁より内側の網目または別途設けられた連通路１２１に絞り紐１２２を通し、絞り紐１２２を絞ることによって、底面円筒台１０７の底面に開閉可能な取出口１２３を形成できるように底面円筒台１０７を弛まないように覆う下部網１１１”とを含むことができる。
【００２０】
第２実施態様において、第２網１１４は、矩形状に製網された一方の長辺の最外縁の網目に装着された第２環１１３の外周から上部環１０６の位置まで、外壁支柱１０４に対応した垂直方向の切り込み１２４が入れられた、第２環１１３の外周から上部環１０６の位置までの部分を弛まないように覆う下部網１１４’と、他方の長辺の最外縁より内側の網目または別途設けられた連通路１２５に絞り紐１２６を通し、絞り紐１２６を絞ることによって、上面円筒台１０８を弛まないように覆う上部網１１４”とを含むことができる。
【００２１】
第２実施態様において、下部篭１１２および／または上部篭１１５に取着可能な餌部１２７を設けることができる。また第１環１１０を除いた底面円筒台１０７を覆う第１網１１１を弛まないように底面環１０２と第１網１１１との接点１２８を適宜固定し、第２環１１３を除いた上面円筒台１０８を覆う第２網１１４を弛まないように上面環１０３と第２網１１４との接点１２９を適宜固定するようにしてもよい。
【００２２】
本発明の第３の態様は、図２から図５に示される海洋生物捕獲篭の製造方法である。ここで用いられる符号は、図１において、各構成要素を表した符号を用いることとする。具体的には、海洋生物捕獲篭１は以下のステップによって製造される。
【００２３】
図２に示されるように、第１および第２のステップは以下の通りである。
（１）  第１のステップにおいては、複数の外壁支柱４と、口径が最大Ｌ１から最小Ｌ４へと小さくなる底面環２、下部環５、上部環６、上面環３が準備される。
（２）  第２のステップにおいて、底面環２と、底面環２を底面とする底面円錐台７を形成するための底面円錐台７の上面となる下部環５と、上面環３と、上面環３を上面とする上面円錐台８を形成するための上面円錐台８の下面となる上部環６とからなる４つの環を、複数の外壁支柱４に固定することによって、円錐台形状の枠体９が形成される。
【００２４】
使用時における海洋生物捕獲篭１の安定性の観点から、限定されるものではないが、枠体９の高さＨを枠体９の底面を形成する底面環の口径Ｌ１より低く設定することが好ましい。また枠体９を構成する底面環２、下部環５、上部環６、上面環３および複数の外壁支柱４には、曲線状および／または直線状の剛性の棒状または管状材料が用いられる。この材料としては、限定されるものではないが、金属、樹脂等を用いてもよく、さらに金属は、海水による腐食を防止する観点から樹脂でコーティングしてことが好ましい。
【００２５】
図３および図４に示されるように、枠体９に第１網および第２網を用いて、第１環１０と第２環１３からなる括れた円光形状の落し口１９を構成する下部篭１２と上部篭１５が以下のステップによって形成される。
（３）  第３のステップにおいて、上部環６より小さい略同一口径の第１環１０と第２環１３とが準備される。
（４）  第４のステップにおいて、底面円錐台７を覆うことができるように製網された第１網１１を用いて、少なくとも下部環５の同心の位置関係で配置される第１環１０が装着され、第１環１０の外周から下部環５までの部分で構成される円錐台１７を含む底面円錐台７を弛まないように覆うことによって、下部篭１２が形成される。
（５）  第５のステップにおいて、上面円錐台８を覆うことができるように製網された第２網１４を用いて、少なくとも上部環６の同心の位置関係で配置される第２環１３が装着され、第２環１３の外周から上部環６までの部分で構成される逆向きの円錐台１８を含む上面円錐台８を弛まないように覆うことによって、第２環１３が下部篭１２の第１環１０と対置するように、上部篭１５が形成される。
【００２６】
図１で示された海洋生物捕獲篭１は、次の最終ステップを経て完成される。
（６）  第６にステップにおいて、複数の連結材１６により第１環１０と第２環１３とを連結して第１環１０と第２環１３とを対置させた、底面円錐台７とその上面上に配置された円錐台１７とを含む下部篭１２と、上面円錐台８とその底面上に形成された逆向きの円錐台１８とを含む上部篭１５とによって、３６０度から海洋生物の侵入を許す幅を有する括れた円筒形状の落し口１９が構成される。
【００２７】
なお、第１環１０と第２環１３に用いられる材料は、枠体９を構成する材料と同様に、棒状または管状材料でもよいが、必ずしも剛性である必要はない。例えば、針金や可撓性の綱などでもよい。また第１環１０と第２環１３は、第１網１１と第２網１４のそれぞれの外縁部の網目を通すように装着することができる。その場合に用いられる環が剛性環であれば、その一部に切れ目を設けておくことが好ましい。
【００２８】
第３実施態様において、第１網１１は、矩形状に製網された一方の長辺の最外縁の網目に装着された第１環１０の外周から下部環５の位置まで、外壁支柱４に対応した垂直方向の切り込み２０が入れられた、第１環１０の外周から下部環５の位置までの部分を弛まないように覆う上部網１１’と、他方の長辺の最外縁より内側の網目または別途設けられた連通路２１に絞り紐２２を通し、絞り紐２２を絞ることによって、底面円錐台７の底面に開閉可能な取出口２３を形成できるように底面円錐台７を弛まないように覆う下部網１１”とを含むことができる。
【００２９】
第３実施態様において、第２網１４は、矩形状に製網された一方の長辺の最外縁の網目に装着された第２環１３の外周から上部環６の位置まで、外壁支柱４に対応した垂直方向の切り込み２４が入れられた、第２環１３の外周から上部環６の位置までの部分を弛まないように覆う下部網１４’と、他方の長辺の最外縁より内側の網目または別途設けられた連通路２５に絞り紐２６を通し、絞り紐２６を絞ることによって、上面円錐台８を弛まないように覆う上部網１４”とを含むことができる。
【００３０】
第３実施態様において、第１環１０の外周から下部環５の位置までの部分を弛まないように覆う上部網１１’によって下部篭１２の円錐台１７が形成されたときに外壁支柱４に対応した入れられた垂直方向の切り込み２０を綴じるステップ、また第２環１３の外周から上部環６の位置までの部分を弛まないように覆う下部網１４’によって上部篭１５の逆向きの円錐台１８が形成されたときに外壁支柱４に対応した入れられた垂直方向の切り込み２４を綴じるステップを含むことができる。
【００３１】
第３実施態様において、下部篭１２および／または上部篭１５に取着可能な餌部２７を設けるステップをさらに含むことができる。また第１環１０を除いた底面円錐台７を覆う第１網１１を弛まないように底面環２と第１網１１との接点２８を適宜固定し、第２環１３を除いた上面円錐台８を覆う第２網１４を弛まないように上面環３と第２網１４との接点２９を適宜固定するステップをさらに含むことができる。
【発明の効果】
【００３２】
本発明に係る海洋生物捕獲篭１を用いることにより、図７や図８に示される従来型の捕獲篭に比較して３倍程度の漁獲量を実現することができた。また下部篭１２の第１環１０と上部篭１５の第２環１３とで形成される括れた円筒形状の落し口１９を通じて分離された下部篭１２と上部篭１５とから構成された捕獲篭としたことにより、本発明の捕獲篭内におけるタコなどの海洋生物による捕獲されたエビなどの海洋生物の捕食を防ぐことによって正味の捕獲量の減少を防止することができる。具体的には、２つの篭の一方に、エビ類及びタコ類が同時に捕獲された場合に、他方の篭とで互いに棲み分けることができるので、篭内でのタコ類によるエビ類の捕食を食い止めることができる。
【００３３】
さらに本発明に係る製造方法によって、本発明の２つの対置された篭からなる海洋生物捕獲篭を簡易に製造することができる。また使用の際に、下部篭１２の底面円錐台７を覆う絞られた第１網１１を弛め、取出口２３を解放状態にすることによって、複数の海洋生物捕獲篭１を重ねて漁船に積み込み搬送することができ、海洋に投下するときに、絞り紐２２によって底面円錐台７を弛まないように覆って使用することができる、極めて実用性の高い海洋生物捕獲篭である。
【図面の簡単な説明】
【００３４】
【図１】本発明に係る、海洋生物捕獲篭の斜視図である。
【図２】本発明に係る、海洋生物捕獲篭の一部を構成する枠体の平面図および正面図である。
【図３】本発明に係る、海洋生物捕獲篭の一部を構成する下部篭に用いられる第１網の展開図および下部篭に含まれる円錐台の斜視図である。
【図４】本発明に係る、海洋生物捕獲篭の一部を構成する上部篭に用いられる第２網の展開図および上部篭に含まれる逆向きの円錐台の斜視図である。
【図５】本発明に係る、取着可能な餌部を設けた海洋生物捕獲篭の正面図である。
【図６】本発明に係る、他の海洋生物捕獲篭の正面図である。
【図７】従来型の側面の２か所に落し口を有する捕獲篭の斜視図である。
【図８】従来型の頂部に落し口を有する捕獲篭の斜視図である。
【発明を実施するための形態】
【００３５】
本発明の海洋生物捕獲篭１の捕獲対象の海洋生物は、限定されるものではないが、エビ類、ツブ類などを挙げることができる。本発明の海洋生物捕獲篭１は、目的とする海洋生物が生息又は活動する海域の適切な水深に単独で設置されるかまたは複数を連結して設置されるものである。
【００３６】
本発明の海洋生物捕獲篭１は、直線状および／または曲線状の剛性棒状または管状材料からなる枠体９に、適切な材質、色彩および網目の大きさ若しくは結節方法からなる２つの第１網１１および第２網１４を枠体９の底面円錐台７および上面円錐台８に弛まないように覆い、かつ固定した下部篭１２および上部篭１５からなる網篭である。枠体９に用いられる剛性棒状または管状材料として、金属または樹脂等を用いることができる。また金属は、海水による腐食を防止する観点から樹脂でコーティングすることが好ましい。第１網１１および第２網１４に用いられる材料は、限定されるものではないが、天然繊維または合成繊維のいずれでもよい。合成繊維としては、ポリエチレン系、ポリアミド系、ポリエステル系の繊維が挙げられるが、ポリエチレン系の繊維を用いることが好ましい。
【００３７】
本発明において、枠体９を構成する複数の外壁支柱４は、枠体全体の強度を保ち、捕獲対象の海洋生物の進入を妨げない数の６本程度が好ましい。また枠体９を構成する底面環２、上面環３、下部環５及び上部環６は、原則として円形であることが好ましい。また枠体９は、それぞれが相似形の５角形以上の多角形または楕円形の環で構成することもできる。
【００３８】
また枠体９の大きさは、限定されるものではないが、例えば、北海シマエビ等の浅海漁業用として、底面環２の直径が９６ｃｍ程度、上面環３の直径が８０ｃｍ程度、また底面環２から上面環３までの高さＨが４３ｃｍ程度のものが好ましい。さらに第１環１０と第２環１３の直径は好ましくは約４０ｃｍであり、対置されるそれらの環の間隔は約３〜５ｃｍである。
【００３９】
本発明において、第１網１１及び第２網１４に装着される第１環１０及び第２環１３は、必ずしも枠体９に用いられるような剛性棒状または管状材料である必要はない。例えば針金や可撓性の綱などを用いることができる。また第１環１０と第２環１３とを連結して括れた円筒形状の落し部１９を形成するための連結材１６は、限定されるものではないが、結び紐、弾性紐等を挙げることができる。連結材は、捕獲対象の海洋生物の進入を妨げない数の６本程度が好ましい。
【００４０】
本発明において、第１網１１および第２網１４で弛まないように覆い下部篭１２および上部篭１５を形成するときに、第１網１１および第２網１４と枠９の底面円錐台７および上面円錐台とを固定する方法は、限定されるものではないが、第１網１１および第２網１４がそれぞれ弛まないようにするために、少なくとも第１網１１と底面環２および第２網１４と上面環３とをそれぞれに固定する結束バンドを用いることが好ましい。本発明の海洋生物捕獲篭１が海底に設置された場合に、底面環２に固定された第１網が海底の岩場等によって傷つけられ破損するのを防ぐために、外壁支柱４の下端を脚部に形成し、底面環２が直接海底面と触れない構造を採用することもできる。
【００４１】
本発明において、下部篭１２および／または上部篭１５には、取着可能な餌部２７を取り付けることができる。いずれも、限定されるものではないが、北海シマエビ用の海洋生物捕獲篭に用いられる１つの好ましい形態は、図５に示されるように、下部篭１２には、それを構成する底面円錐台７の下部環５に渡された綱に装着された細かい網目からなる餌袋であり、また上部篭１５には、それを構成する上面円錐台８の上面環３に係止された鉤針状または挟持状の餌取付具である。
【符号の説明】
【００４２】
１：海洋生物捕獲篭
２：底面環
３：上面環
４：外壁支柱
５：下部環
６：上部環
７：底面円錐台
８：上面円錐台
９：枠体９
１０：第１環
１１：第１網
１１’：上部網
１１”：下部網
１２：下部篭
１３：第２環
１４：第２網
１４’：下部網
１４”：上部網
１５：上部篭
１６：連結材
１７：円錐台
１８：逆向きの円錐台
１９：落し口
２０：切り込み
２１：連通路
２２：絞り紐
２３：取出口
２４：切り込み
２５：連通路
２６：絞り紐
２７：餌部
２８：接点
２９：接点
１０１：海洋生物捕獲篭
１０２：底面環
１０３：上面環
１０４：外壁支柱
１０５：下部環
１０６：上部環
１０７：底面円錐台
１０８：上面円錐台
１０９：枠体９
１１０：第１環
１１１：第１網
１１１’：上部網
１１１”：下部網
１１２：下部篭
１１３：第２環
１１４：第２網
１１４’：下部網
１１４”：上部網
１１５：上部篭
１１６：連結材
１１７：円錐台
１１８：逆向きの円錐台
１１９：落し口
１２０：切り込み
１２１：連通路
１２２：絞り紐
１２３：取出口
１２４：切り込み
１２５：連通路
１２６：絞り紐
１２７：餌部
１２８：接点
１２９：接点
【要約】      （修正有）【課題】漁獲量を増大させる海洋生物捕獲篭を提供する。【解決手段】下部篭１２を形成できるように製網された第１網１１と、少なくとも上部環３と同心の位置関係で配置される、第１環１０と略同一口径の第２環１３が装着され、第２環１３を除いた部分の上面円錐台８の全体を弛まないように覆うことによって上部篭１５が形成できるように製網された第２網１４とからなる海洋生物捕獲篭１であって、複数の連結材１６により第１環１０と第２環１３とを連結して第１環１０と第２環１３とを対置させた、底面円錐台７とその上面上に配置された円錐台１７とを含む下部篭１２と、上面円錐台８とその底面上に形成された逆向きの円錐台１８とを含む上部篭１５とによって、３６０度から海洋生物の侵入を許す幅を有する括れた円筒形状の落し口１９が形成された海洋生物捕獲篭１である。【選択図】図１【図１】
0004672810.tif 000002
【図２】
0004672810.tif 000003
【図３】
0004672810.tif 000004
【図４】
0004672810.tif 000005
【図５】
0004672810.tif 000006
【図６】
0004672810.tif 000007
【図７】
0004672810.tif 000008
【図８】
0004672810.tif 000009